(57)【特許請求の範囲】
【請求項１】
トランスポートストリームパケットを単一或いは複数個集めてＩＰパケット化し、マルチキャストで伝送されるネットワークに適用する受信装置であって、
伝送されてきたＩＰパケットの中からマルチキャストで伝送されてきたＩＰパケットのみを抽出するフィルタ手段と、
前記フィルタ手段で抽出したＩＰパケットのペイロード部分を解析しトランスポートストリームかどうかを判定する判定手段と、
前記判定手段で前記ＩＰパケットのペイロード部分がトランスポートストリームと判定された場合に、当該ＩＰパケットのマルチキャストアドレスを記憶する記憶手段と、
で構成されることを特徴とする受信装置。
【請求項２】
前記判定手段は、前記フィルタ手段で抽出したＩＰパケットのうち、同一のマルチキャストアドレスを持つＩＰパケットで、かつ当該ＩＰパケットのペイロード内の所定の位置にあるデータがトランスポートストリームの同期バイトである場合に、前記同一のマルチキャストアドレスを持つ前記ＩＰパケットは、トランスポートストリームがペイロードに配置されたＩＰパケットであると判定することを特徴とする、
請求項１に記載の受信装置。
【請求項３】
少なくとも２つ以上のトランスポートストリームパケットを集めてＩＰパケット化し、マルチキャストで伝送されるネットワークに適用する受信装置であって、
伝送されてきたＩＰパケットの中からマルチキャストで伝送されてきた前記ＩＰパケットのみを抽出するフィルタ手段と、
前記フィルタ手段で抽出したＩＰパケットのペイロード部分を解析しトランスポートストリームかどうかを判定する判定手段と、
前記判定手段は、前記トランスポートストリームパケットの同期バイトが前記トランスポートストリームパケット数分、前記ペイロードの所定の位置にあることを検出することで、トランスポートストリームがペイロードに配置されたＩＰパケットであると判定し、
前記判定手段で前記ＩＰパケットのペイロード部分がトランスポートストリームと判定された場合に、当該ＩＰパケットのマルチキャストアドレスを記憶する記憶手段と、
で構成されることを特徴とする受信装置。
【請求項４】
前記記憶手段に記憶されたマルチキャストアドレスを少なくとも一つ以上受信アドレスとして設定する受信設定手段を備え、
トランスポートストリームパケットを含むＩＰパケットのみを受信することを特徴とする請求項１から請求項３のいずれかに記載の受信装置。
【請求項５】
前記受信装置は、更にトランスポートストリームを解析する解析手段を有していることを特徴とする、
請求項１から請求項４のいずれかに記載の受信装置。
【請求項６】
前記解析手段は、前記受信設定手段で設定されたマルチキャストアドレスのＩＰパケットで伝送されてくるトランスポートストリームに含まれる番組情報を抽出し、
前記記憶手段は、マルチキャストアドレスと共に前記抽出した番組情報を紐付けて記憶する機能を有していることを特徴とする
請求項５に記載の受信装置。
【請求項７】
番組選局時、選局情報と一致する前記記憶手段に記憶されている番組情報に紐付けされたマルチキャストアドレスを前記受信設定手段に設定することを特徴とする請求項５または請求項６に記載の受信装置。
【発明の詳細な説明】
【技術分野】
【０００１】
本発明は、所謂ＩＰ放送を伝送するネットワークに接続される受信装置に関し、特に専門的な知識を必要とせず自動的に選局するための情報を取得し設定できる受信装置に関する。
【背景技術】
【０００２】
近年放送のデジタル化が進んできており、それに伴いトランスポートストリーム（以下ＴＳと略す）をＩＰ化しネットワーク網を使って伝送する形態、所謂ＩＰ放送も実用化されてきている。最近、このＩＰ放送には、マルチキャスト技術が用いられてきている。この場合、ＴＳ毎にマルチキャストアドレス或いはポートが割り振られ、ＩＰ放送を受信する受信装置は、マルチキャストアドレス或いはポートを選択することにより、所望のＴＳを受信している。
【０００３】
通常、デジタル放送の受信装置の選局動作手順としては、まずユーザによりリモコン等から番組を示す番号が入力される。この番号は、各番組に割り付けられたサービスＩＤに対応しており、受信装置では、予めどのＴＳにどのサービスＩＤの番組が含まれているかを示すチャンネルリスト情報を入手して記憶しておくことにより、所望のＴＳ受信し番組を選局することが可能となる。デジタル放送においては、チャンネルリスト情報はＮＩＴ（Ｎｅｔｗｏｒｋ  Ｉｎｆｏｒｍａｔｉｏｎ  Ｔａｂｌｅ）によってＴＳ内に多重されて伝送される。デジタル放送を受信する受信装置では、このＮＩＴを事前に入手しチャンネルリスト情報を構築し記憶しておく何らかの手段を有している必要がある。
【０００４】
従来の放送の電波を受信する受信装置では、ＮＩＴを入手しチャンネルリスト情報を構築し、記憶する動作を自動化する機能が備わっている。特に、地上デジタル放送の電波を受信する受信機の場合には、放送局側の送出情報として、他局の情報を送出しない運用がなされるため、設置点での全チャンネルサーチを行い、地上デジタル放送が受信可能なチャンネルリスト情報を構築している。このようなチャンネルサーチの機能は、一般的な方法として該当周波数にチューニングし、ＴＳ受信が可能かどうかの判断を行うために受信状況が安定するまで一定時間待ってから行うため、全チャンネルに対して行うと相当の時間を要する。そのため、チャンネルリスト情報の構築を高速で行う方法として、例えば特許文献１のような方法が考えられている。
【０００５】
従来技術の内容を、図７を用いて説明する。
【０００６】
図７は、従来技術により高速にチャンネルスキャンを行う手段を備える地上デジタル放送受信装置のブロック構成の一例を示している。
【０００７】
地上デジタル放送受信装置は、地上デジタル放送を受信し、チャンネルに応じた周波数を選局する地上デジタルＴｕｎｅｒ３００と、地上アナログテレビジョン放送を受信し、チャンネルに応じた周波数を選局する地上アナログＴｕｎｅｒ３０１と、信号有無を検出する信号検出装置３０２と、変調されている信号を復調する復調器３０３と、ＴＳをデコードするＴＳ  Ｄｅｃｏｄｅｒ３０４と、復調された信号から映像信号・音声信号をデコードするＡＶ   Ｄｅｃｏｄｅｒ３０５と、デコードされた映像信号をＮＴＳＣ 信号形式に変調するＮＴＳＣ  Ｅｎｃｏｄｅｒ３０６と、プログラムやユーザ固有の情報を格納する記憶装置であるＦｌａｓｈ ＲＯＭ３０７と、ユーザ固有の情報や地上デジタルテレビジョン放送受信装置のシステム設定情報などを格納する記憶装置であるＥＥＰＲＯＭ３０８と、プログラムの内部情報などを格納する記憶装置であるＲＡＭ３０９と、電話回線を通じてデータの送受信を行うＭｏｄｅｍ３１１と、限定受信を実現するＩＣ  Ｃａｒｄ装置３１２と、地上デジタルテレビジョン放送受信装置自体をシステムバス３１３を通じて制御するＣＰＵ３１０から構成される。
【０００８】
まず、最初にスキャンを開始するチャンネルを設定し、設定されたチャンネルの周波数を地上デジタルＴｕｎｅｒ３００にて選局する。そして、信号検出装置３０２から信号有無の情報を読み出す。上記処理において信号が検出されなかった場合は、選局した現在のチャンネルは受信不可と判断して全チャンネルのサーチが終了したか否かを判定し、全チャンネルのサーチが終了するまで 、次にスキャンするチャンネルを設定して、上記処理を繰り返す。ここで、信号検出装置３０２は、地上デジタルＴｕｎｅｒ３００のＡＧＣ（自動利得制御）回路電圧を検出することで可能となる。
【０００９】
一方、信号が検出された場合は、復調器３０３あるいはＴＳ  Ｄｅｃｏｄｅｒ３０４からＴＳ受信ができているか否かを読み出す。ＴＳ受信ができている場合は、選局した現在のチャンネルをチャンネルリストに追加し、全チャンネルのサーチが終了するまで、次にスキャンするチャンネルを設定して、上記処理を繰り返す。ＴＳ受信ができていない場合は、一定時間が経過するまでＴＳ受信を行い、一定時間経過後は、選局した現在のチャンネルは受信不可と判断して、全チャンネルのサーチが終了したか否かを判定し、全チャンネルのサーチが終了するまで、次にスキャンするチャンネルを設定して、上記処理を繰り返す。
【００１０】
これにより、スキャンの高速化、チャンネルリストの構築に懸かる時間の削減を実現している。
【特許文献１】特開２００４−２８２２１１号公報
【発明の開示】
【発明が解決しようとする課題】
【００１１】
しかしながら、上記のような方法は、電波によって周波数多重して伝送される場合を想定しており、ＩＰ放送に関しては考慮されていない。ＩＰ放送の場合には、ＴＳ毎にアドレス或いはポートに割り振られて伝送されるが、上記と同様に全てのアドレス或いはポートをスキャンしてＮＩＴを入手し、チャンネルリストを構築する方法は、スキャンする範囲が非常に広範囲になるため現実的ではない。また、受信した全てのＩＰパケットからＮＩＴを抽出し解析する方法も考えられるが、ネットワーク網にはＩＰ放送以外にも様々なデータが伝送されている可能性があるため、その中から所望の情報を抽出して解析することはかなり困難である。
【００１２】
本発明の目的は、自動的に選局するための情報を取得し設定できる機能を、簡単な方法で実現したＩＰ放送を受信する受信装置を提供することにある。
【課題を解決するための手段】
【００１３】
上記課題を解決するために、本発明の一実施形態の受信装置は、トランスポートストリームパケットを単一或いは複数個集めてＩＰパケット化し、マルチキャストで伝送されるネットワークに適用する受信装置であって、前記受信装置は、伝送されてきたＩＰパケットの内、マルチキャストで伝送されてきた前記ＩＰパケットのみを抽出するフィルタ手段と、前記フィルタ手段で抽出したＩＰパケットのペイロード部分を解析しトランスポートストリームかどうかを判定する判定手段と、前記判定手段で前記ＩＰパケットのペイロード部分がトランスポートストリームと判定された場合に、当該ＩＰパケットのマルチキャストアドレスを記憶する記憶手段とを具備する。
【００１４】
また、本発明の一実施形態の受信装置は、前記判定手段が、前記フィルタ手段で抽出したＩＰパケットのうち、同一のマルチキャストアドレスを持つＩＰパケットで、かつ当該ＩＰパケットのペイロード内の固定の位置にあるデータを複数ＩＰパケット分比較して、同じである場合に、前記同一のマルチキャストアドレスを持つ前記ＩＰパケットは、トランスポートストリームがペイロードに配置されたＩＰパケットであると判定することを特徴とする。
【００１５】
また、本発明の一実施形態の受信装置は、前記判定手段の判定で用いられる前記ペイロード内の固定の位置にあるデータとは、トランスポートストリームの同期バイトであることを特徴とする。
【００１６】
また、本発明の一実施形態の受信装置は、少なくとも２つ以上のトランスポートストリームパケットを集めてＩＰパケット化し、マルチキャストで伝送されるネットワークに適用する受信装置であって、前記受信装置は、伝送されてきたＩＰパケットの内、マルチキャストで伝送されてきた前記ＩＰパケットのみを抽出するフィルタ手段と、前記フィルタ手段で抽出したＩＰパケットのペイロード部分を解析しトランスポートストリームかどうかを判定する判定手段と、前記判定手段は、前記トランスポートストリームパケットの同期バイトが前記トランスポートストリームパケット数分、前記ペイロードの所定の位置にあることを検出することで、トランスポートストリームがペイロードに配置されたＩＰパケットであると判定し前記判定手段で前記ＩＰパケットのペイロード部分がトランスポートストリームと判定された場合に、当該ＩＰパケットのマルチキャストアドレスを記憶する記憶手段とを具備する。
【００１７】
また、本発明の一実施形態の受信装置は、前記記憶手段に記憶されたマルチキャストアドレスを少なくとも一つ以上受信アドレスとして設定する受信設定手段を備え、トランスポートストリームパケットを含むＩＰパケットのみを受信することを特徴とする。
【００１８】
また、本発明の一実施形態の受信装置は、更にトランスポートストリームを解析する解析手段を有していることを特徴とする。
【００１９】
また、本発明の一実施形態の受信装置は、前記解析手段が、前記受信設定手段で設定されたマルチキャストアドレスのＩＰパケットで伝送されてくるトランスポートストリームに含まれる番組情報を抽出し、前記記憶手段は、マルチキャストアドレスと共に前記抽出した番組情報を紐付けて記憶する機能を有していることを特徴とする。
【００２０】
また、本発明の一実施形態の受信装置は、番組選局時、選局情報と一致する前記記憶手段に記憶されている番組情報に紐付けされたマルチキャストアドレスを前記受信設定手段に設定することを特徴とする。
【発明の効果】
【００２１】
本発明の受信装置によれば、ＩＰ放送を受信する場合に、伝送されてくるアドレス或いはポートとＴＳとが紐付けられたチャンネルリストを自動的に且つ高速に構築することができる。
【発明を実施するための最良の形態】
【００２２】
以下、発明の実施の形態について、図面を参照しながら説明する。
【００２３】
（実施の形態１）
図１は、本発明の実施の形態１において、一例としてＩＰ放送を受信する受信装置の構成を示すブロック図である。図１において、受信装置１００は、接続したネットワークからＩＰパケットを受信する受信部１０１と、マルチキャストで伝送されてくるＩＰパケットのみを抽出するパケットフィルタ１０２、ＩＰパケットの判定を行う判定部１０３、判定部１０３で所望のＩＰパケットと判定された場合、そのＩＰアドレスを記憶するアドレス記憶部１０４、指示されたＩＰパケットのみを抽出する選局部１０５、受信したＴＳの処理や復号化処理、選局処理等を行う受信処理部１０６、チャンネルリストの保持等を行う主記憶部１０７で構成される。なお、受信装置として基本的なＴＳを処理して画像や音声を出力する機能は受信処理部１０６に含まれる。
【００２４】
次に、受信装置１００でチャンネルリストを自動的に構築する手順について、図２、図３を用いて詳細に説明する。受信装置１００の全体の動作としては、マルチキャスト伝送されてきたＩＰパケットのうちペイロード部分にＴＳパケットが配置されたＩＰパケットのアドレスリストを記憶し、そのアドレスリストを元に受信処理部１０６がＴＳを受信して解析し、主記憶部１０７にチャンネルリストを構築する。
【００２５】
図２は、本発明の実施の形態１において、一例としてＴＳをＩＰ化してＵＤＰ（Ｕｓｅｒ  Ｄａｔａｇｒａｍ  Ｐｒｏｔｏｃｏｌ）でマルチキャスト伝送する場合のＩＰパケットの構成図である。ＩＰパケット２００は、先頭からＭＡＣ（Ｍｅｄｉａ  Ａｃｃｅｓｓ  Ｃｏｎｔｒｏｌ）フレームヘッダ２０１、ＩＰヘッダ２０２、ＵＤＰヘッダ２０３と、その後のペイロード部分にＴＳパケット２０４が７パケット分とＦＣＳ（Ｆｒａｍｅ  Ｃｈｅｃｋ  Ｓｅｑｕｅｎｃｅ）２０５が配置されて構成されている。いうまでもないが、各ＴＳパケット２０４の先頭には、同期バイト２０４ａ（具体的な値は４７Ｈ）が配置されており、ＴＳパケットは１８８バイトで構成されている。
【００２６】
まず、マルチキャスト伝送されてきたＩＰパケットの中から、ペイロード部分にＴＳパケットが配置されたＩＰパケットのアドレスリストを記憶するまでの動作を図３のフローチャートを用いて説明する。受信部１０１は接続したネットワークの物理層の処理を行い、ＩＰパケット２００を受信する。パケットフィルタ１０２は、受信したＩＰパケット２００のうちＭＡＣフレームヘッダ２０１を検出し、マルチキャストアドレスを持つＩＰパケット２００のみを抽出する（ステップ１１）。判定部１０３では、抽出したＩＰパケット２００のペイロードの先頭バイトに同期バイト２０４ａ（４７Ｈ）が存在するか否かを判定する（ステップ１２）。４７Ｈ以外であれば、そのＩＰパケット２００は破棄して次のＩＰパケット２００抽出に戻る。４７Ｈであれば、同期カウンタをカウントアップし（ステップ１３）、そのバイトから１８８バイト目に同期バイト２０４ａが存在するか否かを判定する（ステップ１４）。４７Ｈ以外であれば、そのＩＰパケット２００は破棄すると共に同期カウンタをクリアし（ステップ１５）、次のＩＰパケット２００抽出に戻る。４７Ｈであれば、同期カウンタをカウントアップする（ステップ１６）。同期カウンタが閾値以上になる（ステップ１７）まで、ステップ１４からステップ１７を繰り返す。例えば本実施の形態の場合には１ＩＰパケットに７ＴＳパケットが配置されているため、閾値を７にすれば全てのＴＳの同期バイトを確認することになる。なお、閾値の値は、７よりも小さくして同期までの時間を短縮することもできる。また、１つのＩＰパケットに配置されるＴＳパケット数が７よりも小さい場合にも、閾値を小さくすることで同様の処理が可能となる。閾値以上になった場合、そのＩＰパケット２００のアドレスをアドレス記憶部１０４に記憶する（ステップ１８）と共に、同期カウンタをクリア（ステップ１９）し、次のＩＰパケット２００抽出に戻る。アドレス記憶部１０４上のアドレスリストは、例えば処理した順番にアドレスを並べて記載される。
【００２７】
以上の動作により、マルチキャストで伝送されるＩＰパケット２００のうち、ペイロードがＴＳであるＩＰパケットのアドレスリストをアドレス記憶部１０４上に構築することができる。
【００２８】
次に、主記憶部１０７にチャンネルリストを構築する動作を説明する。受信処理部１０６は，アドレス記憶部１０４に記憶されたアドレスリストより、選局部１０５にアドレスを設定し、ＴＳを受信する。この時、受信処理部１０６は、アドレスリストの先頭から順にアドレスを読み込み、選局部１０５に設定する。その後、受信処理部１０６は受信したＴＳを解析し、ＮＩＴよりそのＴＳに関する情報（例えば、ネットワークＩＤ，ＴＳ−ＩＤ，サービスＩＤ）を取得し、ＩＰアドレスとこれらのＴＳに関する情報を紐付けて、主記憶部１０７に保持する。これを、アドレス記憶部１０４に記憶されたアドレス分繰り返すことで、例えば図４に示すようなチャンネルリストの表を主記憶部１０７に構築することができる。チャンネルリストを構築した後、受信処理部１０６はアドレス記憶部１０４上のアドレスリストをクリアし、チャンネルリストを構築する動作を終了する。
その後、構築したチャンネルリストにより、受信装置１００は選局動作を開始することができる。例えばユーザがリモコンを用いて視聴したい番組の番号（例えばネットワークＩＤとサービスＩＤ）を入力すると、受信装置１００は主記憶部１０７に構築されたチャンネルリストを参照し、紐付けられたＩＰアドレスを選局部１０５に設定することで所望の番組を含んだＴＳを受信することが可能となる。受信後の動作については電波の放送を受信するデジタル放送受信装置の一般的な動作と同様であるため、説明を省略する。
【００２９】
以上の動作により、簡単な構成で、主記憶部１０７に自動的且つ高速にチャンネルリストを構築する手段を提供することができ、構築したチャンネルリストを元に、従来の電波の放送を受信する受信装置と同様な選局動作を行う受信機を提供することができる。
【００３０】
なお、本実施の形態では、同期バイトを確認する位置として、ペイロードの先頭バイトやそれ以降１８８バイト目のバイトを確認する構成としたが、予め決められた位置を確認するような構成としてもよい。
【００３１】
また、本実施の形態では、処理した順番にアドレスを並べてアドレスリストを構成する方法を示したが、アドレスの小さい順、或いは大きい順に並べてアドレスリストを構成してもよい。
【００３２】
また、本実施の形態では、ＩＰアドレスのみでチャンネルリストを構築する構成を説明したが、ＩＰアドレスとＵＤＰのポート番号の両方を用いてもよい。この場合は、判定部１０３はステップ１８でＩＰアドレスとポート番号を対でアドレス記憶部１０４に書き込み、受信処理部１０６も、ＩＰアドレスとポート番号を対でＴＳに関する情報と紐付けて主記憶部１０７上にチャンネルリストを構築する。選局部には、ＩＰアドレスとポートを対で設定する構成となる。
【００３３】
また、更に言えば、ＩＰアドレスは固定でポートのみで上記動作をするような構成とすることも可能である。
【００３４】
（実施の形態２）
本発明の実施の形態２について、図５、図６および図２を用いて説明する。図５において、アドレスフィルタ１０８は、判定部１０３より指定のあったアドレスのＩＰパケットのみを抽出する。本発明の実施の形態２は、ＩＰパケットを複数個受信して同期バイトを確認することにしている点で、実施の形態１とは異なっている。以下、図６のフローチャートを用いて、マルチキャスト伝送されてきたＩＰパケットの中から、ペイロード部分にＴＳパケットが配置されたＩＰパケットのアドレスリストを記憶するまでの動作を詳細に説明する。
【００３５】
受信部１０１は接続したネットワークの物理層の処理を行い、ＩＰパケット２００を受信する。パケットフィルタ１０２は、受信したＩＰパケット２００のうちＭＡＣフレームヘッダ２０１を検出し、マルチキャストアドレスを持つＩＰパケット２００のみを抽出する（ステップ２１）。アドレスフィルタ１０８は初期状態ではパケットフィルタからのＩＰパケットは全て抽出する。判定部１０３では、抽出したＩＰパケット２００のペイロードの先頭バイトに同期バイト２０４ａ（具体的な値は４７Ｈ）が存在するか否かを判定する（ステップ２２）。４７Ｈ以外であれば、そのＩＰパケット２００は破棄して次のＩＰパケット２００受信に戻る。４７Ｈであれば、アドレスフィルタ１０８にそのＩＰパケットのアドレスを設定すると共に、同期カウンタをカウントアップする（ステップ２３）。次に、判定部１０３はアドレスフィルタを通過してくるＩＰパケット２００を受信し（ステップ２４）、そのＩＰパケット２００のペイロードの先頭バイトに同期バイト２０４ａ（４７Ｈ）が存在するか否かを判定する（ステップ２５）。４７Ｈ以外であれば、そのＩＰパケット２００は破棄すると共にアドレスフィルタ及び同期カウンタをクリアし（ステップ２６）、次のＩＰパケット２００受信に戻る。４７Ｈであれば、同期カウンタをカウントアップする（ステップ２７）。同期カウンタが閾値以上になる（ステップ２８）まで、ステップ２４からステップ２８を繰り返す。例えば、閾値を５にすれば、同一のＩＰアドレスを持つＩＰパケットを受信し、５パケット連続でペイロードの先頭バイトに同期バイトが存在していることを確認することになる。なお、閾値の値は、５よりも小さくして同期までの時間を短縮することや、５よりも大きくして同期の信頼性を高くすることもできる。閾値以上になった場合、そのＩＰパケット２００のアドレスをアドレス記憶部１０４に記憶する（ステップ２９）と共に、アドレスフィルタ及び同期カウンタをクリア（ステップ３０）し、次のＩＰパケット２００受信に戻る。アドレス記憶部１０４上のアドレスリストは、例えば処理した順番にアドレスを並べて記載される。
【００３６】
以上の動作により、マルチキャストで伝送されるＩＰパケット２００のうち、ペイロードがＴＳであるＩＰパケットのアドレスリストをアドレス記憶部１０４上に構築することができる。
【００３７】
これ以降、主記憶部１０７にチャンネルリストを構築する動作については、本発明の実施の形態１と同様であるので説明を割愛する。
【００３８】
このように、実施の形態２によれば、１つのＩＰパケット中に含まれるＴＳパケットの数によらず一定の閾値で動作させることができ、さらに、ＩＰパケット中に含まれるＴＳパケット数がＩＰパケット毎に変動するような場合や、１つのＩＰパケットにＴＳパケットが一つしか配置されていないような場合でも対応することが可能となる。
【００３９】
なお、本実施の形態では、同期バイトを確認する位置として、ペイロードの先頭バイトとしたが、予め決められた位置を確認するような構成としてもよい。
【００４０】
また、本実施の形態では、処理した順番にアドレスを並べてアドレスリストを構成する方法を示したが、アドレスの小さい順、或いは大きい順に並べてアドレスリストを構成してもよい。
【００４１】
また、本実施の形態では、ＩＰアドレスのみでチャンネルリストを構築する構成を説明したが、ＩＰアドレスとＵＤＰのポート番号の両方を用いてもよい。この場合は、判定部１０３はステップ１８でＩＰアドレスとポート番号を対でアドレス記憶部１０４に書き込み、受信処理部１０６も、ＩＰアドレスとポート番号を対でＴＳに関する情報と紐付けて主記憶部１０７上にチャンネルリストを構築する。また、アドレスフィルタ１０８及び選局部１０５には、ＩＰアドレスとポートを対で設定する構成となる。
【００４２】
また、更に言えば、ＩＰアドレスは固定でポートのみで上記動作をするような構成とすることも可能である。
【産業上の利用可能性】
【００４３】
本発明にかかる受信装置によれば、ＴＳをＩＰ化してマルチキャストで伝送するようなネットワークにおいて、自動的に且つ高速にチャンネルリストを構築することができるため、設置時や受信環境の変化時の受信装置の設定作業を大幅に軽減することができる。
【図面の簡単な説明】
【００４４】
【図１】本発明の実施の形態１における受信装置の構成を示すブロック図
【図２】本発明の実施の形態１及び本発明の実施の形態２におけるＩＰパケットの構成を示す図
【図３】本発明の実施の形態１におけるアドレスリストを構築する処理を示すフローチャート
【図４】本発明の実施の形態１及び本発明の実施の形態２におけるチャンネルリストの一例を示す図
【図５】本発明の実施の形態２における受信装置の構成を示すブロック図
【図６】本発明の実施の形態２におけるアドレスリストを構築する処理を示すフローチャート
【図７】従来の技術に係る地上デジタル放送受信装置の構成を示すブロック図
【符号の説明】
【００４５】
１００    受信装置
１０１    受信部
１０２    パケットフィルタ
１０３    判定部
１０４    アドレス記憶部
１０５    選局部
１０６    受信処理部
１０７    主記憶部
１０８    アドレスフィルタ
【図１】
0004816008.tif 000002
【図２】
0004816008.tif 000003
【図３】
0004816008.tif 000004
【図４】
0004816008.tif 000005
【図５】
0004816008.tif 000006
【図６】
0004816008.tif 000007
【図７】
0004816008.tif 000008